【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】  光源からの光を媒体の中に結合する光学システムであって、反射または屈折によって光を媒体の中に向ける少なくとも１つの光偏向表面を備え、
前記媒体中において最大に生じる空間光密度を低減するために、前記光偏向表面の形態は、前記光源（１）の鮮明な像が、前記媒体（３）中においてまたはその表面（１０、１１、１２、１３、１４、１５）上において形成されないようなものであることを特徴とする光学システム。
【請求項２】  光源から光導波路、特に光ファイバの中に光を結合する光学システムであって、前記光導波路（３）を伝播するような角度で光を前記光導波路の中に注入するように、光を反射または屈折によって前記媒体の中に向ける少なくとも１つの光偏向表面を有し、
前記光導波路（３）中においてまたはその表面（１０、１１、１２、１３、１４、１５）上において最大に生じる光密度を低減するために、前記光偏向表面の形態は、前記光源（１）の鮮明な像が形成されないようなものであることを特徴とする光学システム。
【請求項３】  請求項１または２に記載の光学システムであって、
光学システムは、前記媒体（３）の一体不可分な部分であり、そして光偏向表面として機能する前記媒体（３）の表面（１１、１２、１３、１４、１５）の形態（２０２、２０４、２０５、２０７、２１２）によって作成されるか、またはそのような形態を有することを特徴とするシステム。
【請求項４】  請求項１または２に記載の光学システムであって、
前記光偏向表面は、前記光源（１）の点が前記媒体（３）中においてまたはその表面（１０、１１、１２、１３、１４、１５）上において鮮明には撮像されないような形態を有することを特徴とする光学システム。
【請求項５】  請求項１乃至３のいずれかに記載の光学システムであって、
前記光偏向表面の形態が、前記光源（１）の各点の像が本質的に焦線（２１乃至２６、２９乃至３３、３５乃至３７）または焦点面であるようなものであることを特徴とする光学システム。
【請求項６】  請求項１乃至５のいずれかに記載の光学システムであって、
光学システムは、アクシコン（１０３、１０６、１０７、１０９、１１０、１１６）である、またはアクシコン（１０３、１０６、１０７、１０９、１１０、１１６）を有することを特徴とする光学システム。
【請求項７】  請求項１または２に記載の光学システムであって、
光学システムは、前記光源（１）を光学システムと前記媒体（３）の表面（１０）との間に完全に位置する像に撮像する収集レンズ（１０１）である、または前記収集レンズ（１０１）を有する、あるいは、前記光源（１）を光学システムと前記媒体（３）の前記表面（１０）との間に完全に位置する像に撮像する凹ミラーである、または前記凹ミラーを有することを特徴とする光学システム。
【請求項８】  請求項１または２に記載の光学システムであって、
光学システムは、発散レンズ（１０２）または凸ミラーである、あるいは前記発散レンズ（１０２）または前記凸ミラーを有することを特徴とする光学システム。
【請求項９】  請求項１または２に記載の光学システムであって、
前記媒体の表面（１１）は、発散レンズとして作用する凹形態（２０２）である、または前記凹形態（２０２）を有することを特徴とするシステム。
【請求項１０】  請求項１または２に記載の光学システムであって、
前記光学システムは、少なくとも１つの非球面を有する収集レンズ（１０３）である、または前記収集レンズ（１０３）を有することを特徴とする光学システム。
【請求項１１】  請求項３に記載の光学システムであって、
光学システムが、非球面収集レンズとして機能する、前記媒体（３）の表面の非球面凸形態として設計されるか、またはそのような形態を有することを特徴とする光学システム。
【請求項１２】  請求項１または２に記載の光学システムであって、
前記光学システムは、円環状レンズ（１０４）である、または前記円環状レンズ（１０４）を有することを特徴とする光学システム。
【請求項１３】  請求項３に記載の光学システムであって、
光学システムが、円環状レンズとして機能する前記媒体（３）の表面の環状形態（２０４）として設計される、またはそのような形態（２０４）を有することを特徴とする光学システム。
【請求項１４】  請求項１または２に記載の光学システムであって、
光学システムが、収集レンズ（１０５）または凹ミラーであるか、あるいはそのようなレンズまたはミラーを有し、前記光源（１）の各点がコマ（２７）として撮像されるような、前記光源（１）から遠距離において前記収集レンズ（１０５）または前記凹ミラーの光軸（１０５ａ）が延びるような形態を、前記光偏向表面が有することを特徴とする光学システム。
【請求項１５】  請求項３に記載の光学システムであって、
光学システムが、収集レンズとして機能する前記媒体（３）の表面の凸形態（２０５）として設計され、またはそのような形態（２０５）を有しており、前記光源（１）の各点がコマ（２８）として撮像されるような、前記光源（１）から遠距離において光軸（２０５）が延びるような形態を、前記光偏向表面（１３）が有することを特徴とする光学システム。
【請求項１６】  請求項１または２に記載の光学システムであって、
光学システムは完全円錐（１０６）であるか、または前記完全円錐（１０６）を有しており、前記完全円錐（１０６）の底面（１０６ａ）が前記光源（１）と対面することを特徴とする光学システム。
【請求項１７】  請求項１または２に記載の光学システムであって、
光学システムは完全円錐（１１６）であるか、または完全円錐（１１６）を有しており、前記完全円錐（１１６）の底面（１１６ａ）が前記光源（１）と対面し、前記完全円錐（１１６）が前記媒体（３）とは異なる屈折率を有し、前記完全円錐（１１６）の横表面全体が前記媒体（３）と接触するように前記媒体の内部に埋め込まれ、そして底面全体（１１６ａ）が前記媒体（３）とは接触しないことを特徴とする光学システム。
【請求項１８】  請求項１または２に記載の光学システムであって、
光学システムは透明な完全円錐（１０７）であり、または透明な完全角錐であり、あるいは透明な完全角錐を有しており、前記完全円錐（１０７）または前記完全角錐の先端（１０７ｂ）は前記光源（１）と対面していることを特徴とする光学システム。
【請求項１９】  請求項１６乃至１８のいずれかに記載の光学システムであって、
前記完全円錐（１０６、１０７、１１６）または前記完全角錐の底面は凸または凹の曲率を有することを特徴とする光学システム。
【請求項２０】  請求項３に記載の光学システムであって、
光学システムが、前記媒体（３）の表面の完全円錐形態（２０７）または完全角錐形態によって形成される、またはそのような形態を有することを特徴とする光学システム。
【請求項２１】  請求項１または２に記載の光学システムであって、
光学システムが、中空円錐切断（１１２）を有する円筒（１１１）で構成されるか、またはそのような円筒を有しており、前記中空円錐切断（１１２）の先端（１１２ｂ）が光源（１）から離れて対面することを特徴とする光学システム。
【請求項２２】  請求項３に記載の光学システムであって、
前記光学システムが前記媒体（３）の表面（１４）の中空円錐または中空角錐の形態（２１２）で構成されるか、またはそのような形態を含むことを特徴とする光学システム。
【請求項２３】  請求項３に記載の光学システムであって、
光学システムが、前記媒体（３）の表面の完全角柱または中空角柱の形態で構成されるか、またはそのような形態を有することを特徴とする光学システム。
【請求項２４】  請求項１または２に記載の光学システムであって、
光学システムが、複数の別個の面の部分表面（１０８ａ）からファセット化された表面を有する凸または凹レンズ（１０８）または凹ミラーであり、あるいはそのようなレンズ（１０８）またはそのような凹ミラーを有することを特徴とする光学システム。
【請求項２５】  請求項３に記載の光学システムであって、
光学システムが、複数の別個の面の部分表面からファセット化された媒体（３）の表面の凸形態または凹形態で構成されるか、またはそのような形態を有しており、この形態が凸または凹のファセット・レンズとして機能することを特徴とする光学システム。
【請求項２６】  請求項１または２に記載の光学システムであって、
光学システムが、凸または凹の円筒レンズ、あるいは凸または凹の円筒ミラーであり、あるいはそのようなレンズまたはミラーを有することを特徴とする光学システム。
【請求項２７】  請求項３に記載の光学システムであって、
光学システムが、円筒収集レンズまたは円筒発散レンズとして機能する媒体（３）の表面の凸円筒形態または凹円筒形態で構成されるか、またはそのような形態を有することを特徴とする光学システム。
【請求項２８】  請求項１または２に記載の光学システムであって、
光学システムが、端部において開き、１つの開口（１０９ａ）が前記光源（１）と対面する、内向き反射中空管（１０９）であり、または前記内向き反射中空管を有し、前記中空管（１０９）の内壁が光偏向表面として作用することを特徴とする光学システム。
【請求項２９】  請求項１または２に記載の光学システムであって、
光学システムが、端部において開いている内向き反射中空円錐（１１０）であり、またはそのような中空円錐を有し、前記中空円錐（１１０）の１つの開口が前記光源（１）と対面し、前記中空円錐（１１０）の内壁が光偏向表面として作用することを特徴とする光学システム。
【請求項３０】  請求項１または２に記載の光学システムであって、
光学システムが、外向き反射横表面を有する透明な完全円筒または透明な完全円錐であり、あるいは前記透明な完全円筒または前記透明な完全円錐を有し、１つの端面が前記光源（１）と対面し、前記横表面の内側面が光偏向表面として作用することを特徴とする光学システム。
【請求項３１】  請求項３０に記載の光学システムであって、
前記完全円錐または前記完全円筒の端面の一方または両方が、凸または凹の曲率を有することを特徴とする光学システム。
【請求項３２】  請求項３に記載の光学システムであって、
前記光学システムが前記媒体（３）の表面の完全円錐形態で構成される、またはそのような形態を有することを特徴とする光学システム。
【請求項３３】  請求項３２に記載の光学システムであって、
前記完全円錐形態の端面が凸または凹の曲率を有することを特徴とする光学システム。
【請求項３４】  請求項１乃至３０のいずれかに記載の光学システムであって、
前記光学システムは少なくとも１つの追加のレンズを有することを特徴とする光学システム。